(57)【要約】【課題】永久磁石を資源として有効利用できると共に、使用できる永久磁石に制約の少ない磁気治療具を提供する。【解決手段】肌に貼着して使用される磁気治療具１であって、永久磁石２と、永久磁石を収容している密閉された収容空間Ｓ、及び肌に当接させる平板状の当接部１２を有する磁石ケース１０とを具備する。また、磁石ケースは椀状の収容部１１を具備し、収容空間は収容部の開口Ｐを当接部が閉塞していることにより形成されており、当接部は収容部の開口の外周より外側まで延設されている。【選択図】図２
2010029342.tif 000002
【特許請求の範囲】
【請求項１】
肌に貼着して使用される磁気治療具であって、
永久磁石と、
該永久磁石を収容している密閉された収容空間、及び肌に当接させる平板状の当接部を有する磁石ケースと
を具備することを特徴とする磁気治療具。
【請求項２】
前記磁石ケースは、椀状の収容部を具備し、
前記収容空間は、前記収容部の開口を前記当接部が閉塞していることにより形成されており、
前記当接部は、前記開口の外周より外側まで延設されていることを特徴とする請求項１に記載の磁気治療具。
【請求項３】
前記当接部はチタン製であることを特徴とする請求項１または請求項２に記載の磁気治療具。
【発明の詳細な説明】
【技術分野】
【０００１】
本発明は磁気治療具に関するものであり、特に、肌に貼着して使用される磁気治療具に関するものである。
【背景技術】
【０００２】
従来、布などの基材の片面に粘着剤層を設け、その粘着剤層に粒状の永久磁石を支持させた上で、粘着剤層を剥離紙で被覆した磁気治療具が市販されており、その改良発明についても提案されている（特許文献１参照）。このような磁気治療具は、粘着剤層の粘着力で基材を肌に貼着することにより、永久磁石が肌に当接した状態を保持するものであり、永久磁石により生ずる磁場によって筋肉の凝りの低減や血行の促進が期待できると言われている。
【０００３】
【特許文献１】特開２００５−２９６４５５号公報
【発明の開示】
【発明が解決しようとする課題】
【０００４】
しかしながら、上記の磁気治療具は、使用後には基材を肌から剥がし、永久磁石ごと基材を廃棄するものであるため、資源の有効利用の点で問題があった。更に、従来の磁気治療具では、使用できる永久磁石に種々の制約があった。例えば、外気に触れても永久磁石が酸化しにくいこと、肌触りを良くするために永久磁石の表面が滑らかに仕上げられていること、肌に貼着したまま日常生活を送っても破損しない程度の強度を永久磁石が有していること、使い捨てされる永久磁石が低廉であることなどである。
【０００５】
そこで、本発明は、上記の実情に鑑み、永久磁石を資源として有効利用できると共に、使用できる永久磁石に制約の少ない磁気治療具の提供を課題とするものである。
【課題を解決するための手段】
【０００６】
上記の課題を解決するため、本発明にかかる磁気治療具は、「肌に貼着して使用される磁気治療具であって、永久磁石と、該永久磁石を収容している密閉された収容空間、及び肌に当接させる平板状の当接部を有する磁石ケースとを」具備している。
【０００７】
上記構成の本発明の磁気治療具は、当接部が肌に当接する状態で、絆創膏や医療用粘着テープ等を使用して肌に貼着して使用することができる。このとき、当接部は平面であるため、磁気治療具を肌に当て易い。
【０００８】
本発明では、永久磁石が磁石ケースの収容空間に収容されており、収容空間は密閉されているため、永久磁石が外気に触れることがなく、酸化し易い磁石であっても使用することができる。例えば、最大エネルギー積（磁束密度と磁場の強さの積の最大値）が大きく永久磁石として強力であるが、酸化し易いために従来の磁気治療具では使用できなかったネオジム磁石を使用することができる。
【０００９】
また、永久磁石が磁石ケースに収容されており、永久磁石が直接肌に触れない構成であるため、肌触りを良くするために永久磁石の表面を滑らかに仕上げる必要がない。そのため、加工のし難い磁石、例えば、永久磁石として強力であるが、難加工性のサマコバ磁石（サマリウムコバルト磁石）を使用することができる。
【００１０】
加えて、磁石ケースによって磁気治療具の強度を担保することが可能であるため、永久磁石の強度によらず、磁気治療具の耐用性を高めることができる。これにより、絆創膏や粘着テープ等を取り替えるのみで、磁気治療具は反復して使用することが可能となる。そのため、永久磁石が使い捨てであった従来の磁気治療具では、最大エネルギー積が小さく永久磁石としては弱いフェライト磁石が、低廉であるが故に多用されてきたところ、本発明の磁気治療具では、高価ではあっても永久磁石として強力な磁石、例えば、希土類磁石であるネオジム磁石やサマコバ磁石を使用することができる。そして、反復して使用することが可能な本発明の磁気治療具では、永久磁石を資源として有効に利用することができる。
【００１１】
なお、「磁石ケース」の材料としては、例えば、耐食性を有する金属、樹脂、セラミックスを使用することができる。
【００１２】
本発明にかかる磁気治療具は、「前記磁石ケースは、椀状の収容部を具備し、前記収容空間は、前記収容部の開口を前記当接部が閉塞していることにより形成されており、前記当接部は、前記開口の外周より外側まで延設されている」ものとすることができる。
【００１３】
従来の磁気治療具は、直径３〜５ｍｍの粒状の永久磁石が直接肌に当接する構成であったため、人によっては異物感や痛みを感じることがあった。これに対し、上記構成の本発明では、永久磁石が収容された収容部の断面積より当接部の面積の方が大きなものとなっている。これにより、永久磁石の大きさは従来の磁気治療具と同程度であっても、磁気治療具から肌に加えられる圧力を広い面積で分散させ、異物感や痛みを感じるおそれを低減することができる。
【００１４】
また、本発明では、平板状の当接部が収容部の開口より外側まで延設されている構成であるため、当接部はいわば帽子のひさし状に張り出している。従って、絆創膏や粘着テープを一部が当接部に重畳するように肌に貼ることができる。これにより、磁気治療具の全体を絆創膏や粘着テープで肌に貼着した場合は、磁気治療具の高さに起因して、粘着テープ等と肌との間に隙間やしわが生じ易く、貼着状態が不安定になるおそれがあるところ、本発明ではひさし状に張り出した当接部を利用して粘着テープ等を貼ることにより、磁気治療具を肌に安定的に貼着することができる。
【００１５】
更に、本発明では、磁石ケースが椀状の収容部と平板状の当接部とから構成されているため、予め収容部と当接部とを別々に製造しておき、収容部に永久磁石を入れてから、当接部で蓋をするようにして、磁気治療具を製造することができる。すなわち、極めて簡易なプロセスで、磁気治療具を製造することができる。加えて、磁石ケースが椀状の収容部と平板状の当接部という二つの部分から構成されているため、肌に直接触れることとなる当接部を、収容部とは異なる材料で形成することも容易に行うことができる。
【００１６】
本発明にかかる磁気治療具は、「前記当接部はチタン製である」ものとすることができる。
【００１７】
空気中では、チタンの表面には酸化物（二酸化チタン）の皮膜が形成されるが、二酸化チタンは極めて化学的に安定である。そのため、肌に触れる当接部がチタン製である本発明では、当接部に塩分を含む汗が付着することや、薬品や化粧剤が塗布された肌に当接部が当てられることがあっても、当接部が侵食されるおそれを低減して、磁気治療具を長期にわたって使用することができる。
【００１８】
また、チタンは強度が高く、かつ、軽い金属であるため、使用者が肌に貼着したまま日常動作を行う本発明の磁気治療具の材料として適している。加えて、チタンは、イオン化しにくい金属であるため、金属アレルギーを生じさせ難く、肌に触れる当接部の材料として適している。
【発明の効果】
【００１９】
以上のように、本発明の効果として、永久磁石を資源として有効利用できると共に、使用できる永久磁石に制約の少ない磁気治療具を提供することができる。
【発明を実施するための最良の形態】
【００２０】
以下、本発明の最良の一実施形態である磁気治療具について、図１及び図２に基づいて説明する。ここで、図１は本実施形態の磁気治療具の斜視図であり、図２は図１の磁気治療具の縦断面図である。
【００２１】
本実施形態の磁気治療具１は、肌に貼着して使用される磁気治療具１であって、永久磁石２と、永久磁石２を収容している密閉された収容空間Ｓ、及び肌に当接させる平板状の当接部１２を有する磁石ケース１０とを主に具備している。また、磁石ケース１０は、椀状の収容部１１を具備し、収容空間Ｓは収容部１１の開口Ｐを１２当接部が閉塞していることにより形成されており、当接部１２は収容部１１の開口Ｐの外周より外側まで延設されている。
【００２２】
より詳細に説明すると、本実施形態では図２に示すように、ステンレス鋼製の有底円筒形の部材の開端を外側に延設し、その延設部分と、チタン製の円板状部材の外周縁を折り曲げた部分とを重畳させてかしめることにより、両部材が一体化され、椀状の収容部１１と円板状の当接部１２とで構成された磁石ケース１０が形成されている。そして、その結果として、磁石ケース１０の内部に密閉された収容空間Ｓが形成されていると共に、円板状の当接部１２において肌に当接する当接面１２ｓはチタン製となっている。
【００２３】
収容空間Ｓには、永久磁石２としての略円柱状のネオジム磁石が封入されている。更に、収容空間Ｓには、半導体のゲルマニウムの粉末５０が充填されることにより、収容空間Ｓには残余の空間はほとんどない構成となっている。なお、永久磁石２の直径は約３ｍｍ、収容部１１の外周面の直径は約３．６ｍｍ、当接部１２の直径は約１０ｍｍとされている。すなわち、当接面１２ｓは、収容部の断面積の約８倍、永久磁石２の断面積の約１１倍の面積を有している。
【００２４】
本実施形態の磁気治療具１を使用するときは、当接面１２ｓを肌に当接させた状態で、絆創膏や医療用粘着テープを当接部１２の上面及び肌に対して貼り付けることにより、磁気治療具１を肌に貼着することができる。
【００２５】
或いは、図３（ａ）に示すように、片面に粘着剤層が設けられた布などの基材を、予め円環状に切断した円環状基材２０の裏面に剥離紙を添付したものを用いて、磁気治療具１を肌に貼着することもできる。ここで、円環状基材２０の内周円２１の直径は磁気治療具１の収容部１１の外径より若干大きく、かつ、円環状基材２０の外周円２２の直径は磁気治療具１の当接部１２の外径より大きく設定されている。このような円環状基材２０は、剥離紙を剥離した後、図３（ｂ），（ｃ）に示すように、円環状基材２０の内周円２１内にに磁気治療具１の収容部１１を挿通させて、肌に貼着することができ、基材にしわやたるみが生じるおそれを抑制して、安定的に磁気治療具１を肌に貼着することができる。
【００２６】
上記のように、本実施形態の磁気治療具１によれば、永久磁石２が磁石ケース１０の密閉された収容空間Ｓに収容される構成であるため、永久磁石２として非常に強力であるが、酸化し易い短所を有するネオジム磁石を、酸化するおそれを低減して長期にわたり使用することができる。
【００２７】
また、永久磁石２は磁石ケース１０に収容されており、直接肌に触れる構成ではないため、永久磁石２の形状を整えたり、肌触り良く表面を滑らかに仕上げる必要がない。これにより、永久磁石２の加工の手間や経費を削減することができる。
【００２８】
加えて、磁石ケース１０は強度が大きなステンレス鋼とチタンによって形成されているため、磁石ケース１０によって磁気治療具１の強度を担保することができる。そのため、磁気治療具１を肌に貼着した状態で使用者が日常生活を送るにあたり、従来の磁気治療具とは異なり永久磁石２が破損するおそれを考慮する必要がなく、磁気治療具１を反復して長期間にわたって使用することができる。これにより、永久磁石２を資源として有効に利用することができると共に、高価ではあるが永久磁石２として非常に強力であるネオジム磁石を使用し、強い磁場を発生させる磁気治療具１とすることができる。
【００２９】
更に、磁石ケース１０の材料であるステンレス鋼とチタンは、耐食性にも優れているため、磁気治療具１の耐用性を高いものとし、長期にわたって反復して使用することができる。また、ステンレス鋼とチタンは共にイオン化しにくいため、磁気治療具１を金属アレルギーを引き起こしにくいものとすることができる。
【００３０】
また、本実施形態では、当接面１２ｓは収容部１１の断面積の約８倍の面積を有する平面であるため、磁気治療具１における凸状の構成である収容部１１に外部から加えられた力は、広い面積を有する当接面１２ｓで分散する。これにより、本実施形態の磁気治療具１では、従来の磁気治療具を使用した際に、人によっては粒状の磁石が肌に食い込むように当接して異物感や痛みを感じることがあるという問題を、解消することができる。なお、本実施形態では当接面１２ｓの面積を収容部１１の断面積の約８倍とした場合を例示したが、この倍率は４〜２５倍とすると好適である。例えば、収容部１１の外周面の直径が３〜５ｍｍのとき、その２〜５倍である６〜２５ｍｍに、円板状の当接部１２の直径を設定することができる。ここで、当接部１２の直径が上記範囲より小さい場合は、外部からの圧力を分散させる効果が少なく、上記範囲より大きい場合は、円板状の当接部１２を身体の曲面に当てにくいものとなる。
【００３１】
更に、本実施形態では、永久磁石２が封入された収容空間Ｓにゲルマニウムの粉末５０が封入されることにより、収容空間Ｓに残余の空間がほとんど存在しない構成となっているため、永久磁石２の酸化が有効に抑制されている。加えて、永久磁石２の大きさや形状に多少のばらつきがあっても、収容空間Ｓ内で永久磁石２ががたつくことが防止されていると共に、衝撃による永久磁石２の破損が防止されている。
【００３２】
また、本実施形態では、金属のかしめによって収容部１１及び当接部１２が一体化されている構成であるため、永久磁石２が磁石ケース１０に封入された磁気治療具１を簡易に製造することができる。また、このような製造工程では加熱の必要がないため、永久磁石２を熱減磁させるおそれなく、磁気治療具１を製造することができる。
【００３３】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００３４】
例えば、上記では、磁石ケースが金属製の場合を例示したが、これに限定されない。例えば、当接部のみをチタン製とし、収容部は硬質の樹脂で形成させ、両者を接着により一体化することによっても、ある程度長期間にわたって反復使用できるだけの強度及び耐食性を備える磁石ケースとすることができる。
【００３５】
また、永久磁石としてネオジム磁石を用いた場合を例示したが、これに限定されるものではなく、例えば、同じく希土類磁石であって永久磁石として強力なサマコバ磁石を使用することもできる。
【図面の簡単な説明】
【００３６】
【図１】本発明の一実施形態である磁気治療具の斜視図である。
【図２】図１の磁気治療具の縦断面図である。
【図３】図１の磁気治療具を肌に貼着するための基材及びその使用方法の一例である。
【符号の説明】
【００３７】
１  磁気治療具
２  永久磁石
１０  磁石ケース
１１  収容部
１２  当接部
Ｓ  収容空間
Ｐ  収容部の開口
【図１】
2010029342.tif 000003
【図２】
2010029342.tif 000004
【図３】
2010029342.tif 000005